(57)【要約】【課題】胴部背面にハンドル受け部を突設した形式の炊飯器においては、そのハンドル受け部より低い位置でハンドルを取付けることができない。このため、ハンドル取付け時の傾斜角度が通常の使用状態の範囲に含まれることになり、ハンドルの姿勢が取付け時の傾斜角度と一致するとハンドルが外れる可能性がある。その可能性を極力小さくして実質上ハンドルの外れのない取付け構造を実現することである。【解決手段】炊飯器胴部３の軸受穴１２内部の一定位置にハンドル４の一定傾斜角θにおいてハンドル軸部６の抜け止め部の端面視形状に合致する嵌合部１３を設け、ハンドル受け部５を胴部３に一体に形成し、前記嵌合部１３を前記ハンドル４が垂直状態Ｂ及び前後方向の最大傾倒状態Ａ，Ｃの３箇所以外の適宜な傾斜角度θにおいて前記抜け止め部が嵌合部１３に合致する位置に設けた構成とした。【選択図】  図１
2004357782.tif 000002
【特許請求の範囲】
【請求項１】
逆Ｕ字形のハンドルの両端部に抜け止め部を有するハンドル軸を内向きに設け、炊飯器胴部両側面の軸受穴の内周の一定位置にハンドルの一定傾斜角において前記抜け止め部の端面視形状に合致する嵌合部を設け、該嵌合部に前記抜け止め部を貫通させるとともに該ハンドル軸の回転軸部を軸受穴において回転自在に支持し、前記炊飯器胴部の背面にハンドル受け部を設けてなる炊飯器のハンドル取付け構造において、前記ハンドル受け部を前記胴部に一体に形成し、前記嵌合部を前記ハンドルが垂直状態及び前後方向の最大傾斜状態の３箇所以外の適宜な傾斜角度において前記抜け止め部が合致する位置に設けたことを特徴とする炊飯器のハンドル取付け構造。
【請求項２】
前記左右の嵌合部の端面視形状を異ならせ、正常向きのハンドルの左右の抜け止め部の端面視形状を前記嵌合部の端面視形状に合致して貫通可能な形状に形成し、ハンドルの向きを逆にした場合はその取付けが不可能であるようにしたことを特徴とする請求項１に記載の炊飯器のハンドル取付け構造。
【請求項３】
前記抜け止め部が径方向に対向した一対の抜け止め部半体により形成され、相互に接近する方向に弾性変形させて前記抜け止め部を強制的に貫通させることを特徴とする請求項１又は２に記載の炊飯器のハンドル取付け構造。
【請求項４】
前記左右の軸受穴の内径を異ならせ、正常向きのハンドルの左右の回転軸部の外径を前記軸受穴の内径に合致して嵌合可能な大きさに形成し、ハンドルの左右を逆にした場合にその取付けが不可能であるようにしたことを特徴とする請求項１に記載の炊飯器のハンドル取付け構造。
【発明の詳細な説明】
【０００１】
【発明の属する技術分野】
この発明は、炊飯器におけるハンドルの取付け構造に関するものである。
【０００２】
【従来の技術】
炊飯器の胴部の両側面に逆Ｕ形のハンドルを前後方向に揺動自在に取付けることが従来から行われている（特許文献１参照）。その取付け構造は、ハンドルの両端部に抜け止め部を有するハンドル軸を内向きに設け、胴部の軸受穴の内周の一定位置にハンドルの一定傾斜角において前記抜け止め部に合致する嵌合部を設け、炊飯器胴部の両側面に設けた軸受穴に前記抜け止め部とハンドル軸とを嵌合して前記ハンドルを炊飯器本体の前後方向に揺動自在に取付けるようにしている。この場合、ハンドル取付け後においてハンドルの傾斜角が、該ハンドルの抜け止め部と軸受穴側の嵌合部とが合致する角度になるとハンドルが外れる可能性がある。このため従来は胴部の背面に嵌合されるヒンジカバーにハンドル受け部を突設し、そのヒンジカバーを外した状態の大きい傾斜角でハンドル軸の嵌合が可能なように軸受穴側の嵌合部の位置を設定し、その位置でハンドルを取付けたのちにハンドルを持ち上げ、その後に前記のヒンジカバーを嵌合するようにしている（特許文献１の段落０００８参照）。
【０００３】
上記の取付け構造によるとハンドルが最も後方に倒れた状態でハンドルがヒンジカバーのハンドル受け部に載り、それより大きな傾斜角をとることはできないので、ハンドルがそれより小さい傾斜角の範囲でどのような姿勢をとっても抜け止め部と軸受穴の嵌合部が合致することがなく、従ってハンドルが外れることがない。
【０００４】
【特許文献１】
特開平７−１７７９６２号公報（段落０００８）
【０００５】
【発明が解決しようとする課題】
前記の構造によると、ヒンジカバーが一つの部品として使用される場合は問題ないが、ヒンジカバーが省略されハンドル受け部が胴部と一体に形成される形式の炊飯器においては、ハンドルを取付けるより先にハンドル受け部が胴部背面に存在するために、ハンドルはハンドル受け部より高い位置において一定の傾斜角で取付けられることになる。しかし、そのような傾斜角は通常の使用状態でハンドルが取り得る姿勢であるから、ハンドルが外れる危険性を内包するものである。
【０００６】
一方、前記のようなハンドルの外れを防止するために、ハンドルを取付ける際には、前記の抜け止め部を強制嵌合（いわゆる無理嵌め）により嵌合部を通過させる構造がとられるが、万一ハンドルの左右の向きを間違えて取付けるようなことがあると、その嵌合部を逆に強制的に変形させてハンドルを外し、改めて正常な向きに変えて再取付けしなければならない。しかし、そのような強制的な変形はハンドル軸部の強度低下の原因となる問題がある。
【０００７】
そこで、この発明は、ヒンジカバーを省略してハンドル受け部を胴部に一体に設けた形式の炊飯器においてもハンドルが外れ難く、またハンドルの左右の向きの間違いを来たさないハンドル取付け構造を提供することを課題とする。
【０００８】
【課題を解決するための手段】
前記の課題を解決するために、この発明は、逆Ｕ字形のハンドルの両端部に抜け止め部を有するハンドル軸を内向きに設け、炊飯器胴部両側面の軸受穴の内周の一定位置にハンドルの一定傾斜角において前記抜け止め部の端面視形状に合致する嵌合部を設け、該嵌合部に前記抜け止め部を貫通させるとともに該ハンドル軸の回転軸部を軸受穴において回転自在に支持し、前記炊飯器胴部の背面にハンドル受け部を設けてなる炊飯器のハンドル取付け構造において、前記ハンドル受け部を前記胴部に一体に形成し、前記嵌合部を前記ハンドルが垂直状態及び前後方向の最大傾斜状態の３箇所以外の適宜な傾斜角度において前記抜け止め部が合致する位置に設けた構成を採用した。
【０００９】
炊飯器のハンドルが最も自然にとる姿勢は、持ち運びの際の垂直状態と、自重により前後どちらかに倒れた状態の３つの姿勢がある。前記の構成によると、これらの３つの姿勢においてハンドルの抜け止め部と軸受け側の嵌合部との角度が合致することがないので、ハンドルの外れが防止される。
【００１０】
また、前記左右の嵌合部の端面視形状を異ならせ、正常向きのハンドルの左右の抜け止め部の端面視形状を前記嵌合部の端面視形状に合致して貫通可能な形状に形成し、ハンドルの向きを逆にした場合はその取付けが不可能であるようにした構成をとると、ハンドルの向きを間違えて取付けることが防止される。
【００１１】
また、前記嵌合部が軸方向に２分され所要の間隔をおいて径方向に対向した一対の嵌合部半体により形成され、相互に接近する方向に弾性変形させて前記嵌合部を強制的に貫通させる構成をとることもできる。
【００１２】
なお、前記左右の軸受穴の内径を異ならせ、正常向きのハンドルの左右の回転軸部の外径を前記軸受穴の内径に合致して嵌合可能な大きさに形成し、ハンドルの左右を逆にした場合がその取付けが不可能であるようにした構成によってもハンドルの向きを間違えて取付ける不都合が防止される。
【００１３】
【発明の実施の形態】
以下、この発明の実施の形態を添付図面に基づいて説明する。図１（ａ）は実施形態の炊飯器をその背面側から見たものであり、炊飯器本体１に蓋２を開閉自在に取付け、炊飯器本体１の胴部３の両側面にハンドル４の両端部を回転自在に取付けている。炊飯器本体１の胴部３の背面には後方に倒したハンドル４を受けるハンドル受け部５が突設される。図示のように、胴部３の背面における蓋２の取付け部分には通常はヒンジカバーが設けられるが、この場合はヒンジカバーは設けられておらず、ハンドル受け部５が胴部３の背面に一体に設けられる。
【００１４】
ハンドル４は、図１（ｂ）に示したように、把持部分が若干前方に屈曲しており（矢印ａ参照）前後の形状が異なるため、取付ける際に左右の向きを間違えてはならない。また、後方に倒れた状態でハンドル受け部５に載り、前方に倒れた際には蓋２に当る。図１（ｂ）において、ハンドル４の姿勢が前方に倒れた状態をＡ、垂直の姿勢にある状態をＢ、また後方に倒れた状態をＣで示す。
【００１５】
前記ハンドル４の両端部内面には、図２（ａ）から（ｃ）に示すようなハンドル軸６が設けられる。このハンドル軸６は、回転軸部７とその端面に突設された抜け止め部８とからなる。抜け止め部８はハンドル４の長さ方向に所定の間隔をおいて対向した対称形状の一対の抜け止め部半体８ａ、８ａにより構成される。各抜け止め部半体８ａは、前記回転軸部７と同芯小径の円弧面を有する首部９と、その首部９の先端からハンドル４の長さ方向に逆向きに突き出した頭部１０とからなる。なお、首部９の一部９ａが頭部１０の両側面に僅かに突き出す（図２（ｂ）参照）。
【００１６】
図３（ａ）（ｂ）に示すように、ハンドル４の前面から見た場合の右側のハンドル軸部６に設けた前記抜け止め部８の両頭部１０の最大長さをＡ、左側のハンドル軸部６の両頭部１０の最大長さをＢ（＞Ａ）とする。左右の回転軸部７の径は同一とする。
【００１７】
一方、炊飯器本体１の胴部３の左右の側面には、図３（ｃ）（ｄ）に示すように、前記のハンドル軸６が嵌合される軸受穴１２が設けられる（図４（ａ）参照）。その軸受穴１２の内側に嵌合部１３が形成される。嵌合部１３は前記抜け止め部８の端面視形状を含む形状をなし、抜け止め部８が強制的に弾性変形されることにより通過可能な形状である。ここに、抜け止め部８の端面視形状を含む形状とは、頭部１０側から見通した場合の外側面を連ねた形状（図４（ｃ）（ｄ）の一点鎖線で示す形状Ｆを参照）をいう。
【００１８】
前記の嵌合部１３は、その長さ方向の中心が胴部３の水平基準線Ｌに対して角度θだけ後方に傾斜しており、ハンドル４をその角度だけ後方に傾斜させることにより、抜け止め部８の形状に合致する。そのときのハンドル４の姿勢を図１（ｂ）においてＤで示す。
【００１９】
図５（ａ）は抜け止め部半体８ａ，８ａを嵌合部１３に押し当て弾性変形させて強制嵌合している状況を示す。同図（ｂ）は抜け止め部半体８ａ、８ａが嵌合部１３を貫通して胴部３の内面に係合するとともに、回転軸部７が軸受穴１２に回転自在に嵌合した状態を示す。ハンドル４は回転軸部７において軸受穴１２により回転自在に支持される。
【００２０】
ハンドル４は、図１（ｂ）に示したＤの姿勢（水平基準線Ｌに対しθだけ傾斜した姿勢）においてのみ、抜け止め部８が嵌合部１３の形状に合致するため、その姿勢で強い抜け力が作用するとハンドル４が外れる可能性がある。しかし、ハンドル４が通常取る姿勢である前記のＡ、Ｂ、Ｃの姿勢においては抜け止め部８と嵌合部１３の形状の合致は起こらず、しかも前記以外の姿勢（Ｄを含む）は通常は取り得ない姿勢であるので、ハンドル４が外れることは実質上ありえない。
【００２１】
また、ハンドル４の組付け工程において、ハンドル４を胴部３の軸受穴１２に嵌合する際、左右の抜け止め部８の最大長さＡとＢは、Ｂ＞Ａの関係があり、また嵌合部１３の長さもこれらに対応した大きさに設定されているので、ハンドル４が正常の向きに組付けられる場合は問題なく嵌合されるが、万一ハンドル４の向きが逆向きであった場合は、長さＢの抜け止め部８は長さＡの嵌合部１３を通過することはできないので、作業者にハンドル４の向きの間違いを気付かせることができる。
【００２２】
なお、前記の場合は抜け止め部８の長さと嵌合部１３の長さの関係に大小関係によってハンドル４の逆付けを規制するようにしているが、これらの幅の大小関係によっても同様にハンドルの逆付けを防止することができる。
【００２３】
また、抜け止め部８と嵌合部１３の形状によらず、回転軸部７と軸受穴１２の径の大小関係によってもハンドル４の逆付けを防止することができる。
【００２４】
【発明の効果】
以上のように、この発明によれば、ヒンジカバーが省略され通常そのヒンジカバーに設けられるハンドル受け部が、炊飯器の胴部背面に一体に形成された場合においても、ハンドルの外れ難い取付け構造を提供することができる。また、ハンドル軸側と炊飯器胴部の軸受穴側の左右の形状を異ならせたことにより、ハンドルの逆付けを防止でき、組付け直しによるハンドル軸部の強度低下を防ぐことができる。
【図面の簡単な説明】
【図１】（ａ）実施形態の炊飯器の背面側の斜視図
（ｂ）同上の一部側面図
【図２】（ａ）同上のハンドル軸部の斜視図
（ｂ）同正面図
（ｃ）同側面図
【図３】（ａ）（ｂ）同上のハンドルの一部正面図
（ｃ）（ｄ）同上の軸受穴部の一部側面図
【図４】（ａ）同上の軸受穴部の断面図
（ｂ）同上の抜け止め部の正面図
【図５】（ａ）（ｂ）ハンドル軸部の嵌合状態の断面図
【符号の説明】
１  炊飯器本体
２  蓋
３  胴部
４  ハンドル
５  ハンドル受け部
６  ハンドル軸部
７  回転軸部
８  抜け止め部
８ａ  抜け止め部半体
９  首部
１０  頭部
１２  軸受穴
１３  嵌合部
【図１】
2004357782.tif 000003
【図２】
2004357782.tif 000004
【図３】
2004357782.tif 000005
【図４】
2004357782.tif 000006
【図５】
2004357782.tif 000007